(57)【要約】【課題】身体の状態を直感的連想させることを抑制しつつ、吸収性物品の機能を使用者に伝えることが可能な吸収性物品の包装体を提供する。【解決手段】吸収性物品の包装体（１）は、複数の吸収性物品（２０）と、複数の吸収性物品を収容するパッケージ（１０）と、を有する。パッケージは、黒基調の色からなる黒基調画像（６１）、吸収性物品の機能を図示したコンセプト画像（６２）、及び吸収性物品の肌に当接する肌当接面を図示した肌面画像が設けられている。パッケージの第１面（１１）には、複数の画像が設けられ、当該複数の画像のうち面積が最も大きい画像と２番目に面積が大きい画像として、第１黒基調画像（６１１）及びコンセプト画像としての第１コンセプト画像（６２１）が設けられている。肌面画像は、パッケージの第１面以外の面に設けられている。【選択図】図１
0003225033.tif 000002
【実用新案登録請求の範囲】
【請求項１】
複数の吸収性物品と、
前記複数の吸収性物品を収容するパッケージと、を有する吸収性物品の包装体であって、
前記パッケージは、第１面から第６面を有する六面体であって、黒基調の色からなる黒基調画像、前記吸収性物品の機能を図示したコンセプト画像、及び前記吸収性物品の肌に当接する肌当接面を図示した肌面画像が設けられており、
前記第１面は、前記第１面から前記第６面のうち最も大きい面積を有する面であり、
前記パッケージは、前記第１面を正面視に配置した状態で、上下方向に延びる第１方向及び左右方向に延びる第２方向を有し、
前記第１面は、前記第１方向の下側に位置し、前記第２方向に延びる第１下辺と、前記第１方向の上側に位置し、前記第２方向に延びる第１上辺と、前記第２方向に延びる一対の第１側辺と、によって囲まれた矩形の面であり、
前記第１面には、複数の画像が設けられ、当該複数の画像のうち面積が最も大きい画像と２番目に面積が大きい画像として、前記黒基調画像としての第１黒基調画像及び前記コンセプト画像としての第１コンセプト画像が設けられており、
前記肌面画像は、前記パッケージの前記第１面以外の面に設けられている、吸収性物品の包装体。
【請求項２】
前記第１黒基調画像と前記第１コンセプト画像の一方は、前記第１上辺から下側に延びる領域に設けられ、
前記第１黒基調画像と前記第１コンセプト画像の他方は、前記第１下辺から上側に延びる領域に設けられ、
前記第１黒基調画像と前記第１コンセプト画像の境界は、前記第２方向に延びる直線である、請求項１に記載の吸収性物品の包装体。
【請求項３】
複数の吸収性物品と、
前記複数の吸収性物品を収容するパッケージと、を有する吸収性物品の包装体であって、
前記パッケージは、第１面から第６面を有する六面体であって、黒基調の色からなる黒基調画像、前記吸収性物品の機能を図示したコンセプト画像、及び前記吸収性物品の肌に当接する肌当接面を図示した肌面画像が設けられており、
前記第１面は、前記第１面から前記第６面のうち最も大きい面積を有する面であり、
前記パッケージは、前記第１面を正面視に配置した状態で、上下方向に延びる第１方向及び左右方向に延びる第２方向を有し、
前記第１面は、前記第１方向の下側に位置し、前記第２方向に延びる第１下辺と、前記第１方向の上側に位置し、前記第２方向に延びる第１上辺と、前記第２方向に延びる一対の第１側辺と、によって囲まれた矩形の面であり、
前記第１面には、複数の画像が設けられ、当該複数の画像のうち面積が最も大きい画像と２番目に面積が大きい画像として、前記黒基調画像としての第１黒基調画像及び前記コンセプト画像としての第１コンセプト画像が設けられており、
前記第１黒基調画像と前記第１コンセプト画像の一方は、前記第１上辺から下側に延びる領域に設けられ、
前記第１黒基調画像と前記第１コンセプト画像の他方は、前記第１下辺から上側に延びる領域に設けられ、
前記第１黒基調画像と前記第１コンセプト画像の境界は、前記第２方向に延びる直線である、吸収性物品の包装体。
【請求項４】
前記第１黒基調画像の前記第１方向の長さ及び前記第１コンセプト画像の前記第１方向の長さは、前記第１面の前記第１方向の全体長さに対する４０％以上である、請求項２又は請求項３に記載の吸収性物品の包装体。
【請求項５】
前記第１黒基調画像と前記第１コンセプト画像は、隣接しており、
前記第１黒基調画像と前記第１コンセプト画像の境界は、前記第１方向及び前記第２方向の一方において前記第１面の全域に延びている、請求項１に記載の吸収性物品の包装体。
【請求項６】
前記パッケージは、前記第１上辺に隣接し、前記第１面を正面視に配置した状態で上側に位置する第２面を有し、
前記第１黒基調画像と前記第１コンセプト画像の少なくとも一方は、前記第１面と前記第２面を跨がって配置されている、請求項１から請求項５のいずれか１項に記載の吸収性物品の包装体。
【請求項７】
前記第１コンセプト画像は、前記第１面の前記第１方向の中心よりも上側に設けられている、請求項１から請求項６のいずれか１項に記載の吸収性物品の包装体。
【請求項８】
前記黒基調画像は、前記第１面から前記第６面にそれぞれ設けられている、請求項１から請求項７のいずれか１項に記載の吸収性物品の包装体。
【請求項９】
前記コンセプト画像は、前記吸収性物品の機能として、前記吸収性物品の素材、前記吸収性物品を使用した使用者の使用状態のいずれかを図示する、請求項１から請求項８のいずれか１項に記載の吸収性物品の包装体。
【請求項１０】
前記コンセプト画像の一部には、前記黒基調の色が設けられている、請求項１から請求項９のいずれか１項に記載の吸収性物品の包装体。
【請求項１１】
前記パッケージは、前記第１面を正面視に配置した状態で前記第１面の第１方向に延びる第１側辺に隣接する第３面を有し、
前記黒基調画像は、前記第３面に配置された第３黒基調画像を有し、
前記コンセプト画像は、前記第３面に配置された第３コンセプト画像を有する、請求項１から請求項１０のいずれか１項に記載の吸収性物品の包装体。
【請求項１２】
前記パッケージを構成するシートは、第１層と、前記第１層と積層され、前記包装体の外面に配置され第２層と、を有し、
前記第１層には、前記黒基調画像、前記コンセプト画像、及び肌面画像が印刷されており、
前記第２層は、透明又は半透明のフィルムである、請求項１から請求項１１のいずれか１項に記載の吸収性物品の包装体。
【考案の詳細な説明】
【技術分野】
【０００１】
本考案は、複数の吸収性物品をパッケージに収容した吸収性物品の包装体に関する。
【背景技術】
【０００２】
特許文献１には、複数の吸収性物品をパッケージに収容した吸収性物品の包装体が開示されている。特許文献１の吸収性物品の包装体は、吸収性物品を包装シートによって個別に包装した個別包装体をパッケージに収容している。個別包装体の外面には、使用者が選択可能な図柄が設けられている。パッケージの外面には、使用者が認識可能な表示と、パッケージの内部を視認可能な透明な窓部と、が設けられている。パッケージの表示と個別包装体の図柄は、関連性を有している。パッケージの透明な窓部を通して、個別包装体の図柄が視認できるように構成されている。特許文献１の吸収性物品の包装体によれば、使用者が窓部を介して個別包装体に施された図柄を視認できる。
【先行技術文献】
【特許文献】
【０００３】
【特許文献１】特開２０１１−１３６７２４号公報
【考案の概要】
【考案が解決しようとする課題】
【０００４】
特許文献１には、パッケージの表示と個別包装体の図柄とが関連性を有していることにより、使用者に嗜好性による感情的な効果を与え、吸収性物品の使用前の憂鬱な気分を軽減することができることが記載されている。しかし、一般的に、パッケージの表示及び個別包装体の図柄は、ピンクや赤等の可愛らしい色やハート等の可愛らしい図柄であることが多い。そのため、使用者によっては、パッケージの表示及び個別包装体の図柄に基づいて生理等の身体の状態を直感的に連想し、憂鬱な気分を十分に払拭できないことがあった。
【０００５】
また、一般的に、吸収性物品の包装体には、昼用や夜用等の吸収性物品の機能に関する表示を設けている。しかし、吸収性物品の機能に関する表示は、生理等の身体の状態を直感的に連想することとなり、憂鬱な気分を払拭できないことある。このような問題に鑑みて、吸収性物品の機能に関する表示を設けないパッケージを提供することが考えられる。しかし、機能に関する表示を設けないパッケージによれば、使用者が種類の判別を行い難い。特に、吸収性物品は、種々の種類があり、身体の状態に応じて使用者が適宜選択する。そのため、吸収性物品の機能を使用者に伝えることが求められている。
【０００６】
よって、身体の状態を直感的連想させることを抑制しつつ、吸収性物品の機能を使用者に伝えることが可能な吸収性物品の包装体を提供する。
【課題を解決するための手段】
【０００７】
一態様に係る吸収性物品の包装体は、複数の吸収性物品と、前記複数の吸収性物品を収容するパッケージと、を有する吸収性物品の包装体である。前記パッケージは、第１面から第６面を有する六面体であって、黒基調の色からなる黒基調画像、前記吸収性物品の機能を図示したコンセプト画像、及び前記吸収性物品の肌に当接する肌当接面を図示した肌面画像が設けられている。前記パッケージの第１面は、前記第１面から前記第６面のうち最も大きい面積を有する面である。前記パッケージは、前記第１面を正面視に配置した状態で、上下方向に延びる第１方向及び左右方向に延びる第２方向を有する。前記第１面は、前記第１方向の下側に位置し、前記第２方向に延びる第１下辺と、前記第１方向の上側に位置し、前記第２方向に延びる第１上辺と、前記第２方向に延びる一対の第１側辺と、によって囲まれた矩形の面である。前記第１面には、複数の画像が設けられ、当該複数の画像のうち面積が最も大きい画像と２番目に面積が大きい画像として、前記黒基調画像としての第１黒基調画像及び前記コンセプト画像としての第１コンセプト画像が設けられている。前記肌面画像は、前記パッケージの前記第１面以外の面に設けられている。
【０００８】
他態様に係る吸収性物品の包装体は、複数の吸収性物品と、前記複数の吸収性物品を収容するパッケージと、を有する吸収性物品の包装体である。前記パッケージは、第１面から第６面を有する六面体であって、黒基調の色からなる黒基調画像、前記吸収性物品の機能を図示したコンセプト画像、及び前記吸収性物品の肌に当接する肌当接面を図示した肌面画像が設けられている。前記パッケージの第１面は、前記第１面から前記第６面のうち最も大きい面積を有する面である。前記パッケージは、前記第１面を正面視に配置した状態で、上下方向に延びる第１方向及び左右方向に延びる第２方向を有する。前記第１面は、前記第１方向の下側に位置し、前記第２方向に延びる第１下辺と、前記第１方向の上側に位置し、前記第２方向に延びる第１上辺と、前記第２方向に延びる一対の第１側辺と、によって囲まれた矩形の面である。前記第１面には、複数の画像が設けられ、当該複数の画像のうち面積が最も大きい画像と２番目に面積が大きい画像として、前記黒基調画像としての第１黒基調画像及び前記コンセプト画像としての第１コンセプト画像が設けられている。前記第１黒基調画像と前記第１コンセプト画像の一方は、前記第１上辺から下側に延びる領域に設けられている。前記第１黒基調画像と前記第１コンセプト画像の他方は、前記第１下辺から上側に延びる領域に設けられている。前記境界は、前記第２方向に延びる直線である。
【図面の簡単な説明】
【０００９】
【図１】図１は、実施形態に係る吸収性物品の包装体の正面側から見た斜視図である。
【図２】図２は、実施形態に係る吸収性物品の包装体の背面側から見た斜視図である。
【図３】図３は、吸収性物品の包装体の正面図である。
【考案を実施するための形態】
【００１０】
（１）実施形態の概要
本明細書及び添付図面の記載により、少なくとも以下の事項が明らかとなる。
一態様に係る吸収性物品の包装体は、複数の吸収性物品と、前記複数の吸収性物品を収容するパッケージと、を有する吸収性物品の包装体である。前記パッケージは、第１面から第６面を有する六面体であって、黒基調の色からなる黒基調画像、前記吸収性物品の機能を図示したコンセプト画像、及び前記吸収性物品の肌に当接する肌当接面を図示した肌面画像が設けられている。前記パッケージの第１面は、前記第１面から前記第６面のうち最も大きい面積を有する面である。前記パッケージは、前記第１面を正面視に配置した状態で、上下方向に延びる第１方向及び左右方向に延びる第２方向を有する。前記第１面は、前記第１方向の下側に位置し、前記第２方向に延びる第１下辺と、前記第１方向の上側に位置し、前記第２方向に延びる第１上辺と、前記第２方向に延びる一対の第１側辺と、によって囲まれた矩形の面である。前記第１面には、複数の画像が設けられ、当該複数の画像のうち面積が最も大きい画像と２番目に面積が大きい画像として、前記黒基調画像としての第１黒基調画像及び前記コンセプト画像としての第１コンセプト画像が設けられている。前記肌面画像は、前記パッケージの前記第１面以外の面に設けられている。黒基調の色は、一般的に重厚感を付与できるため、使用者は、吸収性物品に対して安心感や高級感を得易い。コンセプト画像は、吸収性物品の機能を図示しており、文字等によって吸収性物品の機能を示す構成と比較して、生理等の身体の状態を直感的に連想させ難い。肌面画像は、第１面以外に設けられ、第１面に設けられていないため、使用者が第１面を視認した際に、生理等の身体の状態を直感的に連想することをより抑制できる。よって、身体の状態を直感的連想させることを抑制しつつ、吸収性物品の機能を使用者に伝えることができる。
【００１１】
好ましい一態様によれば、前記第１黒基調画像と前記第１コンセプト画像の一方は、前記第１上辺から下側に延びる領域に設けられ、前記第１黒基調画像と前記第１コンセプト画像の他方は、前記第１下辺から上側に延びる領域に設けられ、前記境界は、前記第２方向に延びる直線であってよい。本態様によれば、第１黒基調画像及び第１コンセプト画像のいずれも、第２方向に延びる辺に挟まれており、その領域の上下の辺が目立ちやすい。領域の区画が明確でない構成と比較して、それぞれの領域が目立ちやすくなる。そのため、使用者は、第１黒基調画像及び第１コンセプト画像の両方をより把握し易い。
【００１２】
他態様に係る吸収性物品の包装体は、複数の吸収性物品と、前記複数の吸収性物品を収容するパッケージと、を有する吸収性物品の包装体である。前記パッケージは、第１面から第６面を有する六面体であって、黒基調の色からなる黒基調画像、前記吸収性物品の機能を図示したコンセプト画像、及び前記吸収性物品の肌に当接する肌当接面を図示した肌面画像が設けられている。前記パッケージの第１面は、前記第１面から前記第６面のうち最も大きい面積を有する面である。前記パッケージは、前記第１面を正面視に配置した状態で、上下方向に延びる第１方向及び左右方向に延びる第２方向を有する。前記第１面は、前記第１方向の下側に位置し、前記第２方向に延びる第１下辺と、前記第１方向の上側に位置し、前記第２方向に延びる第１上辺と、前記第２方向に延びる一対の第１側辺と、によって囲まれた矩形の面である。前記第１面には、複数の画像が設けられ、当該複数の画像のうち面積が最も大きい画像と２番目に面積が大きい画像として、前記黒基調画像としての第１黒基調画像及び前記コンセプト画像としての第１コンセプト画像が設けられている。前記第１黒基調画像と前記第１コンセプト画像の一方は、前記第１上辺から下側に延びる領域に設けられている。前記第１黒基調画像と前記第１コンセプト画像の他方は、前記第１下辺から上側に延びる領域に設けられている。前記境界は、前記第２方向に延びる直線である。本態様によっても、身体の状態を直感的連想させることを抑制しつつ、吸収性物品の機能を使用者に伝えることができる。
【００１３】
好ましい一態様によれば、前記第１黒基調画像の前記第１方向の長さ及び前記第１コンセプト画像の前記第１方向の長さは、前記第１面の前記第１方向の全体長さに対する４０％以上であってよい。本態様によれば、第１黒基調画像及び第１コンセプト画像が占める面積を確保し易く、使用者の注意を引きつけることができ、第１黒基調画像及び第１コンセプト画像の両方を目立たせることができる。
【００１４】
好ましい一態様によれば、前記吸収性物品は、前記第１黒基調画像と前記第１コンセプト画像は、隣接しており、前記第１黒基調画像と前記第１コンセプト画像の境界は、前記第１方向及び前記第２方向の一方において前記第１面の全域に延びてよい。本態様によれば、第１面のいずれかの方向の全域に第１黒基調画像と第１コンセプト画像のそれぞれが配置される。第１黒基調画像と第１コンセプト画像が目立ちやすく、使用者は、第１黒基調画像及び第１コンセプト画像の両方を把握できる。
【００１５】
好ましい一態様によれば、前記パッケージは、前記第１上辺に隣接し、前記第１面を正面視に配置した状態で上側に位置する第２面を有し、前記第１黒基調画像と前記第１コンセプト画像の少なくとも一方は、前記第１面と前記第２面を跨がって配置されてよい。包装体が商品棚等に陳列された状態では、使用者は、第１面のみならず、上面を構成する第２面を視認できる。第１黒基調画像と第１コンセプト画像の一方が第１面と前記第２面を跨がっているため、使用者が、当該一方の画像をより把握し易い。
【００１６】
好ましい一態様によれば、前記第１コンセプト画像は、前記第１面の前記第１方向の中心よりも上側に設けられてよい。包装体が商品棚等に陳列された状態では、第１下辺は、陳列棚において商品が落下しないための柵や値札等によって視認性を阻害されるおそれがある。第１コンセプト画像が上側に設けられているため、商品棚に陳列された状態においても第１コンセプト画像の視認性を確保できる。
【００１７】
好ましい一態様によれば、記黒基調画像は、前記第１面から前記第６面にそれぞれ設けられてよい。包装体の全面に黒基調画像を設けることにより、使用者が安心感や高級感をより得やすい。
【００１８】
好ましい一態様によれば、前記コンセプト画像は、前記吸収性物品の機能として、前記吸収性物品の素材、前記吸収性物品を使用した使用者の使用状態のいずれかを図示してよい。コットン、シアバター、オリーブオイル等の素材を図示することで、吸収性物品の持つ機能を使用者に示すことができる。また、吸収性物品を使用した使用者の使用状態を図示することによって、吸収性物品の適した使用状態や製品コンセプトを使用者に示すことができる。
【００１９】
好ましい一態様によれば、前記コンセプト画像の一部には、前記黒基調の色が設けられてよい。本態様によれば、コンセプト画像に使用者の注意が引きつけられた場合であっても、コンセプト画像によっても重厚感を出すことができ、使用者に安心感を付与できる。また、コンセプト画像にも黒基調の色が付されていることにより、黒基調画像とコンセプト画像の一体感を出すことができ、黒基調画像とコンセプト画像の両方を使用者に認識させ易くなる。
【００２０】
好ましい一態様によれば、前記パッケージは、前記第１面を正面視に配置した状態で前記第１面の第１方向に延びる第１側辺に隣接する第３面を有し、前記黒基調画像は、前記第３面に配置された第３黒基調画像を有し、前記コンセプト画像は、前記第３面に配置された第３コンセプト画像を有してよい。本態様によれば、黒基調画像と前記コンセプト画像の両方が第１面と第３面に配置されているため、使用者が、両方の画像をより把握し易い。
【００２１】
好ましい一態様によれば、前記パッケージを構成するシートは、第１層と、前記第１層と積層され、前記包装体の外面に配置され第２層と、を有し、前記第１層には、前記黒基調画像、前記コンセプト画像、及び肌面画像が設けられており、前記第２層は、透明又は半透明のフィルムであってよい。画像が設けられた第１層よりも外面側に第２層が配置されているため、第２層によって第１層の画像を保護することができる。流通過程や使用過程において包装体の外面に細かな傷や皺が形成されることがある。このとき、傷や皺は、第２層側から形成され易く、第１層に形成され難い。画像が設けられた第１層を第２層によって保護することにより、包装体に傷や皺が形成された場合であっても、画像を保護でき、画像の視認性を確保し続けることができる。よって、黒基調画像によって、吸収性物品に対する安心感や高級感を付与するとともに、コンセプト画像によって、身体の状態を直感的連想させることを抑制しつつ、吸収性物品の機能を使用者に伝え続けることができる。
【００２２】
（２）吸収性物品の包装体の構成
以下、図面を参照して、実施形態に係る吸収性物品の包装体について説明する。なお、以下の図面の記載において、同一又は類似の部分には、同一又は類似の符号を付している。ただし、図面は模式的なものであり、各寸法の比率等は現実のものとは異なることに留意すべきである。したがって、具体的な寸法等は、以下の説明を参酌して判断すべきである。また、図面相互間においても互いの寸法の関係や比率が異なる部分が含まれ得る。
【００２３】
図１及び図２は、第１実施形態に係る吸収性物品の包装体１の斜視図である。図１は、上面側から見た斜視図であり、図２は、下面側から見た斜視図である。図３は、吸収性物品の包装体の上面図である。吸収性物品の包装体１（以下、包装体１とする）は、吸収性物品２０と、複数の吸収性物品２０を包装するパッケージ１０と、を有する。パッケージ１０内の空間に、吸収性物品２０が複数収容されている。吸収性物品２０としては、例えば、使い捨ておむつ、生理用ナプキン、失禁パッド、パンティライナーを例示できる。吸収性物品２０は、パッケージ１０内において吸収性物品２０の厚み方向に積層されてよい。パッケージ１０の表面は、包装体１の外面を構成し、パッケージ１０の裏面は、包装体１の内面を構成し、吸収性物品２０に接触してよい。パッケージ１０は、樹脂製のフィルムからなり、直方形に成形されてよい。パッケージ１０は、直方形に成形された状態で第１面１１から第６面１６を有する六面体である。第１面１１から第６面１６は、矩形の面である。
【００２４】
包装体１は、互いに対向する第１面１１及び第４面１４と、互いに対向する第２面１２及び第５面１５と、互いに対向する第３面１３及び第６面１６を有する。パッケージの第１面１１は、第１面１１から第６面１６のうち最も大きい面積を有する面である。第１面１１は、包装体１が流通時に店舗等で陳列された状態で前側に向けて配置され、正面を構成する。第１面１１に対向する第４面１４も、第１面１１と同様に第１面１１から第６面１６のうち最も大きい面積を有する面である。すなわち、第１面１１及び第４面１４は、いずれも第１面１１から第６面１６のうち最も大きい面積を有する。第４面１４は、第１面１１を正面視に配置した状態（図３に示す状態）で後側に向けて配置され、背面を構成する。第２面１２は、第１面１１を正面視に配置した状態で、上側に向けて配置され、上面を構成する。第５面１５は、第１面１１を正面視に配置した状態で、下側に向けて配置され、底面を構成する。第３面１３は、第１面１１を正面視に配置した状態で、右側に向けて配置され、右側面を構成する。第４面１４は、第１面１１を正面視に配置した状態で、左側に向けて配置され、左側面を構成する。
【００２５】
パッケージ１０は、第１面１１を正面視に配置した状態で、上下方向（縦方向）に延びる第１方向Ｄ１、左右方向（横方向）に延びる第２方向Ｄ２と、奥行方向に延びる第３方向Ｄ３と、を有する。第１面１１及び第４面１４は、第１方向Ｄ１及び第２方向Ｄ２に延びる面であり、第２面１２及び第５面１５は、第２方向Ｄ２及び第３方向Ｄ３に延びる面であり、第３面１３及び第６面１６は、第１方向Ｄ１及び第３方向Ｄ３に延びる面である。図３に示すように、第１面１１は、第１方向Ｄ１の下側に位置して第２方向Ｄ２に延びる第１下辺１１２と、第１方向Ｄ１の上側に位置して第２方向Ｄ２に延びる第１上辺１１１と、第２方向Ｄ２に延びる一対の第１側辺１１３と、によって囲まれた矩形の面である。第２面１２は、第１上辺１１１に隣接し、第５面１５は、第１下辺１１２に隣接し、第３面１３及び第６面１６は、第１側辺１１３に隣接している。
【００２６】
本実施の形態のパッケージ１０には、複数の画像が設けられている。画像は、パッケージを構成するシートに印刷が施されることによって形成されている。画像は、黒基調の色からなる黒基調画像６１、吸収性物品の機能を図示したコンセプト画像６２、及び吸収性物品の肌に当接する肌当接面を図示した肌面画像６３を少なくとも有する。画像は、更に、商品の名称や商品のブランド名等の名称を示す名称画像６４、商品の機能を文字にて示した説明画像６５を有してよい。本実施の形態において画像は、写真、絵、図柄、マーク、記号、文字、色のうち少なくともいずれかを有するものである。すなわち、色のみが付された部分も画像を構成する。また、各画像は、完全に分離している構成していなくてもとく、一部の画像内に他の画像が配置されていてもよい。
【００２７】
黒基調の色からなる黒基調画像６１は、黒基調の色が付された部分である。黒基調の色は、白色基準板に対するΔＬが60.0以上の色であってよい。色を測定する際の基準色として白色基準板（L96.76  a+0.44  b+2.17）を用いた。測定器は、例えば、Konica Minolta社製 CR-300を用いることができ、測定機器の光源としては、C光源(国際照明委員会(CIE)の規格)を用いることができる。測定機器の測定窓の直径は、４０ｍｍである。ここでLは、明るさを指標する値であり、ａ、ｂは、色度の平面座標である。また、他の規定において、黒基調の色は、黒基調画像６１は、黒、濃紺等の比較的濃く、使用者に対して重厚感を付与し易い。
【００２８】
コンセプト画像６２は、吸収性物品２０の機能を文字でなく、図示した部分である。より詳細には、コンセプト画像６２は、写真、絵、図柄、マーク、記号の少なくともいずれかによって吸収性物品２０の機能を示した部分である。なお、吸収性物品２０の機能を文字で示した部分は、説明画像を構成する。吸収性物品２０の機能は、吸収性物品２０の素材（コットン、シアバター、オリーブオイル等）、及び吸収性物品２０を使用した使用者の使用状態（着用した状態、装着操作の状態）を含む。コンセプト画像６２によって、コットン、シアバター、オリーブオイル等の素材を図示することで、吸収性物品２０の持つ機能を使用者に示すことができる。また、コンセプト画像６２によって吸収性物品２０を使用した使用者の使用状態を図示することによって、吸収性物品２０の適した使用状態や製品コンセプトを使用者に示すことができる。また、吸収性物品２０の機能は、吸収性物品２０の用途（生理用ナプキン、尿取りパッド、織物シート）、使用タイミング（昼用、夜用、経血が多い日用等）、適した使用形態（スポーツ時に適している、就寝時に適している等）の機能を含んでいてよく、使用者が吸収性物品の選択に役立つ情報に関するものである。
【００２９】
肌面画像６３は、吸収性物品２０の肌に当接する肌当接面を図示した画像である。肌面画像６３は、吸収性物品２０の肌当接面のみを示す画像であってもよいし、肌当接面を含む吸収性物品２０の全体を示す画像であってもよい。なお、肌面画像６３は、肌当接面内の構造や形状を示すものである。肌当接面の外形のみを示し、かつ肌当接面内の具体的な構造等を示していない画像は、肌面画像６３を構成せず、コンセプト画像６２を構成する。例えば、図３に示す吸収性物品の外形のみを線で囲んで示した画像６２２は、コンセプト画像６２を構成する。
【００３０】
図１及び図３に示すように、第１面１１には、複数の画像が設けられている。第１面１１の複数の画像のうち面積が最も大きい画像と２番目に面積が大きい画像として、黒基調画像６１としての第１黒基調画像６１１及びコンセプト画像６２としての第１コンセプト画像６２１が設けられている。なお、最も大きい画像が第１黒基調画像６１１であってもよいし、最も大きい画像が第１コンセプト画像６２１であってもよい。第１面１１内に複数のコンセプト画像が設けられていて互いの画像が分離している場合は、複数のコンセプト画像がそれぞれ別個の画像を構成する。別個のコンセプト画像の場合には、各コンセプト画像の面積を算出し、その面積を比較する。一方、第１面１１内に複数のコンセプト画像が設けられていて互いの画像が分離していない場合は、複数のコンセプト画像を合わせて１個の画像を構成する。黒基調画像６１が複数設けられている場合においても、同様である。本実施の形態における第１面１１の複数の画像は、第１黒基調画像６１１、第１コンセプト画像６２１と、第２コンセプト画像６２２、第１名称画像６４１、第２名称画像６４２、第１説明画像６５１を有してよい。
【００３１】
第１黒基調画像６１１は、第１面１１において最も面積が大きい画像であり、第１下辺１１２から上側に延びる領域に設けられている。第１黒基調画像６１１は、第１下辺１１２から第１コンセプト画像６２１との境界Ｂまでの間の領域のうち、第１名称画像６４１及び第１説明画像６５１を除く部分である。第１コンセプト画像６２１は、第１面１１において２番目に面積が大きい画像であり、第１上辺１１１から下側に延びる領域に設けられている。第１コンセプト画像６２１は、第１上辺１１１から第１黒基調画像６１１との境界Ｂまでの間の領域のうち、第２コンセプト画像６２２、第２名称画像６４２及び第１説明画像６５１を除く部分である。第２コンセプト画像６２２は、吸収性物品２０の外形のみを線で囲んで示した画像と、その画像を囲む枠と、によって構成されている。第２コンセプト画像６２２は、第１上辺１１１から下側に延びる領域に設けられている。第２コンセプト画像６２２の第１方向Ｄ１の長さは、第１コンセプト画像６２１の第１方向Ｄ１の長さよりも短く、第２コンセプト画像６２２の第２方向Ｄ２の長さは、第２コンセプト画像６２２の第２方向Ｄ２の長さよりも短い。第１コンセプト画像６２１は、吸収性物品２０の適した使用形態及び使用者の使用状態を示している。より詳細には、第１コンセプト画像６２１は、吸収性物品を着用した使用者が走っている状態を示している。使用対象が女性であること、使用した状態で走る等の運動時に適した吸収性物品であることを示している。第１名称画像６４１は、吸収性物品２０の商品の名称を文字にて示した画像であり、第１黒基調画像６１１内に配置されている。第２名称画像６４２は、吸収性物品２０のブランド名を文字にて示した画像であり、第１コンセプト画像６２１内に配置されている。第１説明画像６５１は、商品の機能を文字にて示した画像であり、第１黒基調画像６１１と第１コンセプト画像６２１に跨がって配置されている。
【００３２】
黒基調画像６１は、黒基調の色であり、従来の一般的なピンクや赤の色と比較して、生理等の身体の状態を直感的に連想させ難い。また、黒基調の色は、一般的に重厚感を付与できるため、使用者は、吸収性物品２０に対して安心感や高級感を得易い。その一方で、黒基調の色の重厚感によって、使用者によっては、黒基調の暗い色から落ち込むようなイメージを連想し、憂鬱な気分を得るおそれがあった。しかし、第１面１１には、第１黒基調画像６１１と第１コンセプト画像６２１が設けられており、第１コンセプト画像６２１によって、黒基調の色と異なるイメージを使用者に連想させ、憂鬱な気分を払拭できる。第１黒基調画像６１１及び第１コンセプト画像６２１の一方は、第１面１１に設けられた複数の画像のうち面積が最も大きい画像であり、他方は、２番目に面積が大きい画像である。いずれも第１面１１においてしめる面積が大きいため、使用者は、第１黒基調画像６１１及び第１コンセプト画像６２１の両方を把握できる。コンセプト画像６２は、吸収性物品２０の機能を図示しており、文字等によって吸収性物品２０の機能を示す構成と比較して、生理等の身体の状態を直感的に連想させ難い。よって、身体の状態を直感的連想させることを抑制しつつ、吸収性物品２０の機能を使用者に伝えることができる。
【００３３】
肌面画像６３は、第１面１１以外の面に設けられており、本実施の形態では、第４面１４に設けられている。吸収性物品２０の肌に当接する肌当接面を図示した肌面画像６３は、吸収性物品の構造や性能を示すために、吸収性物品のパッケージに設けられていることが多い。しかし、肌面画像６３によって示す肌当接面は、使用者が使用中に視認する面であり、使用者が生理等の身体の状態を直感的に連想し易い。肌面画像６３は、第１面１１以外に設けられ、第１面１１に設けられていない。そのため、使用者が第１面１１を視認した際に、生理等の身体の状態を直感的に連想することをより抑制できる。よって、身体の状態を直感的連想させることを抑制しつつ、吸収性物品の機能を使用者に伝えることができる。
【００３４】
第１黒基調画像６１１と第１コンセプト画像６２１の一方は、第１上辺１１１から下側に延びる領域に設けられ、第１黒基調画像６１１と第１コンセプト画像６２１の他方は、第１下辺１１２から上側に延びる領域に設けられてよい。第１黒基調画像６１１と第１コンセプト画像６２１の境界Ｂは、第２方向Ｄ２に延びる直線であってよい本実施の形態では、第１黒基調画像６１１が第１上辺１１１と境界Ｂに挟まれた領域に設けられ、第１コンセプト画像６２１が第１下辺１１２と境界Ｂに挟まれた領域に設けられている。第１黒基調画像６１１及び第１コンセプト画像６２１のいずれも、第２方向Ｄ２に延びる辺に挟まれているため、その領域の上下の辺が目立ちやすい。領域の区画が明確でない構成と比較して、それぞれの領域が目立ちやすくなる。そのため、使用者は、第１黒基調画像６１１及び第１コンセプト画像６２１の両方をより把握し易い。
【００３５】
第１黒基調画像６１１と第１コンセプト画像６２１の境界Ｂは、第１面１１の第２方向Ｄ２の両端縁間に延びている。境界Ｂは、他の画像（本実施の形態における第１説明画像６５１）によって分断されていてもよい。第１黒基調画像６１１及び第１コンセプト画像６２１は、第１面１１の第２方向Ｄ２の全域に設けられている。そのため、第１黒基調画像６１１の第２方向Ｄ２の長さは、第１コンセプト画像６２１の第２方向Ｄ２の長さと同様である。第１黒基調画像６１１の第１方向Ｄ１の長さ及び第１コンセプト画像６２１の第１方向Ｄ１の長さは、第１面１１の第１方向Ｄ１の全体長さに対する４０％以上であってよい。第１黒基調画像６１１及び第１コンセプト画像６２１が共に第１面１１の第１方向Ｄ１の長さに対する４０％を占めている。第１面１１において占める第１黒基調画像６１１の面積及び第１コンセプト画像６２１の面積が大きいため、使用者の注意を引きつけることができ、第１黒基調画像６１１及び第１コンセプト画像６２１の両方を目立たせることができる。また、第１黒基調画像６１１及び第１コンセプト画像６２１のいずれか一方の第１方向Ｄ１の長さは、第１面１１の第１方向Ｄ１の全体長さに対する５０％以上であってよい。第１面１１の第１方向Ｄ１の全体長さに対する半分以上占める画像をより目立たせることができる。本実施の形態においては、第１黒基調画像６１１の第１方向Ｄ１の長さは、第１コンセプト画像６２１の第１方向Ｄ１の長さよりも長い。
【００３６】
第１黒基調画像６１１と第１コンセプト画像６２１は、隣接しており、境界Ｂは、第１方向Ｄ１及び第２方向Ｄ２の一方において第１面１１の全域に延びてよい。なお、境界Ｂは、第１面１１の全域に設けられていればよく、直線状に延びる構成のみならず、曲線状に延びる構成も含む。本実施の形態では、境界は、第２方向Ｄ２の全域に延びている。なお、ここで、第１面１１全域の延びる状態は、一部分断した状態で延びる状態を含む。境界Ｂが第１方向Ｄ１及び第２方向Ｄ２の一方において第１面１１の全域に延びているため、第１面１１のいずれかの方向の全域に第１黒基調画像６１１と第１コンセプト画像６２１のそれぞれが配置される。第１黒基調画像６１１と第１コンセプト画像６２１がより目立ちやすく、使用者は、第１黒基調画像６１１及び第１コンセプト画像６２１の両方を把握できる。よって、身体の状態を直感的連想させることを抑制しつつ、吸収性物品２０の機能を使用者に伝えることができる。なお、変形例において、境界Ｂは、第１面１１の第１方向Ｄ１の全域に配置されており、第１黒基調画像６１１及び第１コンセプト画像６２１が第２方向Ｄ２において隣接していてもよい。
【００３７】
第１黒基調画像６１１と第１コンセプト画像６２１の少なくとも一方は、第１面１１と第２面１２を跨がって配置されてよい。本実施の形態の第１コンセプト画像６２１は、第１面１１と第２面１２を跨がっている。包装体１が商品棚等に陳列された状態では、使用者は、第１面１１のみならず、上面を構成する第２面１２を視認できる。第１黒基調画像６１１と第１コンセプト画像６２１の一方が第１面１１と第２面１２を跨がっているため、使用者が、当該一方の画像をより把握し易い。また、第１黒基調画像６１１と第１コンセプト画像６２１の他方は、第１面１１と第５面１５を跨がっていてもよい。使用者が包装体１を手にとって、正面のみならず底面を視認した際に、当該他方の画像を視認し易くなる。本実施の形態の第１黒基調画像６１１は、第１面１１と第５面１５を跨がっている。
【００３８】
黒基調画像６１は、第３面１３に配置された第３黒基調画像６１３を有し、コンセプト画像６２は、第３面１３に配置された第３コンセプト画像６２３を有してよい。また、第１黒基調画像６１１と第３黒基調画像６１３は、連なっていてもよいし、第１コンセプト画像６２１と第３コンセプト画像６２３は、連なっていていなくてもよい。黒基調画像６１とコンセプト画像６２の両方が第１面１１と第３面１３に配置されているため、使用者が、両方の画像をより把握し易い。また、より好適には、黒基調画像６１は、第６面１６に配置された第６黒基調画像６１６を有し、コンセプト画像６２は、第６面１６に配置された第６コンセプト画像６２６を有してよい。また、第１黒基調画像６１１と第６黒基調画像６１６は、連なっていてもよいし、第１コンセプト画像６２１と第６コンセプト画像６２６は、連なっていてもよい。黒基調画像６１とコンセプト画像６２の両方が第１面１１と第６面１６に配置されていることにより、使用者が、両方の画像をより把握し易くなる。
【００３９】
第１コンセプト画像６２１は、第１面１１の第１方向Ｄ１の中心よりも上側に設けられてよい。なお、第１コンセプト画像６２１の少なくとも一部が、第１面１１の第１方向Ｄ１の中心よりも上側に設けられてよいが、好適には、第１コンセプト画像６２１の全域が、第１面１１の第１方向Ｄ１の中心よりも上側に設けられてよい。包装体１が商品棚等に陳列された状態では、第１下辺１１２は、陳列棚において商品が落下しないための柵や値札等によって視認性を阻害されるおそれがある。第１コンセプト画像６２１が上側に設けられているため、商品棚に陳列された状態においても第１コンセプト画像６２１の視認性を確保できる。
【００４０】
黒基調画像６１は、第１面１１から第６面１６にそれぞれ設けられてよい。包装体１の全面に黒基調画像６１を設けることにより、使用者が安心感や高級感をより得やすい。コンセプト画像６２一部には、黒基調の色が設けられよい。本実施の形態は、走っている状態の使用者が黒基調の色が付された黒部分６２Ｘを構成する。コンセプト画像６２に使用者の注意が引きつけられた場合であっても、コンセプト画像６２の黒部分６２Ｘによっても重厚感を出すことができ、使用者に安心感を付与できる。また、コンセプト画像にも黒基調の色が付されていることにより、黒基調画像６１とコンセプト画像６２の一体感を出すことができ、黒基調画像６１とコンセプト画像６２の両方を使用者に認識させ易くなる。なお、黒基調画像６１の黒基調の色とコンセプト画像６２における黒基調の色は、黒基調の色の範囲内において異なっていてもよいが、好適には、同じ色であってもよい。黒基調画像６１とコンセプト画像６２の一体感をより出すことができる。
【００４１】
パッケージを構成するシートは、第１層と第２層を有してよい。第１層には、黒基調画像６１、コンセプト画像６２及び肌面画像６３が設けられてよい。第２層は、透明又は半透明のフィルムであってよい。第１層は、包装体１の内面側に配置され、吸収性物品２０に接してよい。第２層は、包装体１の外面に配置されてよい。本実施の形態のパッケージを構成するシートは、黒基調画像６１等の画像を白色フィルムに印刷し、その印刷された面側にラミネート加工を施し、第２層の透明フィルムを設けることによって製造されている。画像が設けられた第１層よりも外面側に第２層が配置されているため、第２層によって第１層の画像を保護することができる。第層は、透明又は半透明であり、使用者は、第２層を介して第１層の画像を視認できる。流通過程や使用過程において包装体の外面に細かな傷や皺が形成されることがある。このとき、傷や皺は、第２層側から形成され易く、第１層に形成され難い。画像が設けられた第１層を保護することにより、包装体１に傷や皺が形成された場合であっても、画像を保護でき、画像の視認性を確保し続けることができる。よって、黒基調画像６１によって、吸収性物品に対する安心感や高級感を付与するとともに、コンセプト画像６２によって、身体の状態を直感的連想させることを抑制しつつ、吸収性物品の機能を使用者に伝え続けることができる。なお、第２層が透明フィルムの場合にあっては、光線透過率が高く、画像の視認性をより確保し易い。また、第２層が半透明フィルムの場合にあっては、艶消し効果を発揮でき、皺をより目立ちにくくできる。
【００４２】
以上、上述の実施形態を用いて本考案について詳細に説明したが、当業者にとっては、本考案が本明細書中に説明した実施形態に限定されるものではないということは明らかである。本考案は、実用新案登録請求の範囲の記載により定まる本考案の趣旨及び範囲を逸脱することなく修正及び変更態様として実施することができる。したがって、本明細書の記載は、例示説明を目的とするものであり、本考案に対して何ら制限的な意味を有するものではない。
【産業上の利用可能性】
【００４３】
身体の状態を直感的連想させることを抑制しつつ、吸収性物品の機能を使用者に伝えることが可能な吸収性物品の包装体を提供する。
【符号の説明】
【００４４】
１      ：包装体、１０    ：パッケージ、１１    ：第１面、１１１  ：第１上辺、１１２  ：第１下辺、１１３  ：第１側辺、１２    ：第２面、１３    ：第３面、１４    ：第４面、１５    ：第５面、１６    ：第６面、２０    ：吸収性物品、２５    ：第３面、６１    ：黒基調画像、６１１  ：第１黒基調画像、６１３  ：第３黒基調画像、６１６  ：第６黒基調画像、６２    ：コンセプト画像、６２１  ：第１コンセプト画像、６２２  ：第２コンセプト画像、６２３  ：第３コンセプト画像、６２６  ：第６コンセプト画像、６３    ：肌面画像、６４    ：名称画像、６４１  ：第１名称画像、６４２  ：第２名称画、６５    ：説明画像、６５１  ：第１説明画像、Ｂ      ：境界、Ｄ１    ：第１方向、Ｄ２    ：第２方向、Ｄ３    ：第３方向
【図１】
0003225033.tif 000003
【図２】
0003225033.tif 000004
【図３】
0003225033.tif 000005